(57)【要約】      （修正有）【課題】保水性ブロック表面等に蒸発量を充足する十分な水を供給でき、保水性ブロックを安定して冷却できる保水部材、潅水構造体及びこの潅水構造体の保水性ブロックへの給水方法を提供する。【解決手段】路盤上方に平面状に隣接して敷き詰められる複数個の保水部材１と、複数個の保水部材１の間隙に充填される保水性、透水性及び揚水性を備えた保水部材用目地砂１２と、保水部材１の上方に平面状に隣接して敷き詰められる保水性と透水性とを備えた複数個の保水性ブロック１４と、複数個の保水性ブロック１４の間隙に充填される保水性と透水性を備えかつ保水部材用目地砂１２と協働して保水部材１の導水性部材７により保水部材１外部に導水された水２を毛細管力で上方に揚水する揚水性をも備えた保水性ブロック用目地砂１５とを有することを特徴とする。【選択図】図５
2010001691.tif 000002
【特許請求の範囲】
【請求項１】
上部に外部上方から下降してくる水を受けるための開口部を有し内部に貯水空間を有する貯水トレーと、該貯水トレーの前記開口部と側面の全部またはその一部とを覆いかつ天井面が透水性を有する貯水トレー保護体と、一端が前記貯水トレーの貯水空間に他端が前記貯水トレー保護体及び／または前記貯水トレーの外部に露出されていて前記貯水空間内に貯水されている水を前記貯水トレー保護体及び／または前記貯水トレーの側方外部に導水する導水性部材とを有することを特徴とする保水部材。
【請求項２】
上部に外部上方から下降してくる水を受けるための開口部を有し内部に貯水空間を有する貯水トレーと、該貯水トレーの前記開口部と側面の全部またはその一部とを覆いかつ天井面が透水性を有する貯水トレー保護体と、前記貯水トレー保護体及び／または前記貯水トレーの側面部を貫通し一端が前記貯水トレーの貯水空間に他端が前記貯水トレー保護体及び／または前記貯水トレーの側方外部に露出されていて前記貯水空間内に貯水されている水を前記貯水トレー保護体及び／または前記貯水トレーの外部に導水する導水性部材とを有し、該導水性部材が前記貯水トレー保護体及び／または前記貯水トレーの側面部を貫通する位置は前記導水性部材が前記貯水トレーから水を揚水可能な高さの範囲内に設けられていることを特徴とする保水部材。
【請求項３】
前記保水部材は、前記貯水トレー保護体の天井面から貯水空間に向かって下垂し、上方から供給される水を前記貯水トレー内の貯水空間へと集水して滴下する集水部材をさらに有することを特徴とする請求項１または請求項２いずれかに記載の保水部材。
【請求項４】
前記保水部材は、一端が前記貯水トレーの貯水空間に向かって下垂し、他端が前記貯水トレー保護体及び／または前記貯水トレーの側面外部に露出されていて、上方から供給される水を前記貯水トレー内の貯水空間へと集水して滴下する集水部材をさらに有することを特徴とする請求項１〜請求項２いずれかに記載の保水部材。
【請求項５】
前記保水部材の外底面及び／または側壁外面下部には撥水処理が施されていることを特徴とする請求項１〜請求項４いずれかに記載の保水部材。
【請求項６】
前記貯水トレー保護体の側壁は、側壁下端が前記貯水トレーの外底面より下方に配置することが可能な高さを有していることを特徴とする請求項１〜請求項５いずれかに記載の保水部材。
【請求項７】
前記導水性部材は布または多孔質体のいずれかであることを特徴とする請求項１〜請求項６いずれかに記載の保水部材。
【請求項８】
路盤上方に平面状に隣接して敷き詰められる複数個の請求項１〜請求項７いずれかに記載の保水部材と、該複数個の保水部材の間隙に充填される保水性、透水性及び揚水性を備えた保水部材用目地砂と、前記保水部材の上方に平面状に隣接して敷き詰められる保水性と透水性とを備えた複数個の保水性ブロックと、該複数個の保水性ブロックの間隙に充填される保水性と透水性を備えかつ前記保水部材用目地砂と協働して前記保水部材の導水性部材により保水部材外部に導水された水を毛細管力で上方に揚水する揚水性をも備えた保水性ブロック用目地砂とを有することを特徴とする潅水構造体。
【請求項９】
前記保水部材の貯水空間が外気と連通しており、貯水空間の内部圧力が大気圧とほぼ等しく保持されるようになっていることを特徴とする請求項８に記載の潅水構造体。
【請求項１０】
前記保水部材用目地砂及び／または保水性ブロック用目地砂の粒子径分布が目開き６００μｍのメッシュを通過する分布であることを特徴とする請求項８または請求項９いずれかに記載の潅水構造体。
【請求項１１】
前記保水部材用目地砂及び／または保水性ブロック用目地砂が６号珪砂、７号珪砂、８号珪砂または９号珪砂のいずれかであることを特徴とする請求項１０記載の潅水構造体。
【請求項１２】
前記保水性ブロックは表裏に連通する貫通孔を有することを特徴とする請求項８〜請求項１１いずれかに記載の潅水構造体。
【請求項１３】
前記保水性ブロックと前記保水部材との間には、通気性と防砂性とを有するクッション層が設けられていることを特徴とする請求項８〜請求項１２いずれかに記載の潅水構造体。
【請求項１４】
前記隣接して平面状に敷き詰められる複数個の保水部材の一部は、その内部の貯水空間が外気と連通しており、かつ隣接する保水部材同士の各貯水空間は保水部材間圧力調整手段を介して連結され、その内部圧力が大気圧とほぼ等しく保持されるようになっていることを特徴とする請求項８〜請求項１３いずれかに記載の潅水構造体。
【請求項１５】
路盤上方に平面状に隣接して敷き詰められる複数個の請求項１〜請求項７いずれかに記載の保水部材と、該複数個の保水部材の間隙に充填される保水性、透水性及び揚水性を備えた保水部材用目地砂と、前記保水部材の上方に平面状に隣接して敷き詰められる保水性と透水性とを備えた複数個の保水性ブロックと、該複数個の保水性ブロックの間隙に充填される保水性と透水性を備えかつ前記保水部材用目地砂と協働して前記保水部材から前記導水性部材により外部に導水された水を毛細管力で上方に揚水する揚水性をも備えた保水性ブロック用目地砂とを有する潅水構造体の保水性ブロックへの給水方法において、前記保水部材用目地砂と前記保水性ブロック用目地砂とが協働して下方から揚水した水を前記保水性ブロックの側面に供給することを特徴とする潅水構造体の保水性ブロックへの給水方法。
【発明の詳細な説明】
【技術分野】
【０００１】
本発明は、例えば、歩道等の道路やビルの屋上あるいは公園内等に布設される潅水構造体及び潅水構造体に用いられる保水部材、さらには潅水構造体の保水性ブロックへの給水方法に関するものである。
【背景技術】
【０００２】
今日、都市部の歩道等の道路やビルの屋上、あるいは公園内の一部は、通常、アスファルトやコンクリートで固められている。そのため気温が高く、照り返しのきつい夏季の日中、そのような場所の温度上昇は周囲に比較し一段と激しい。このような環境下において歩道を歩いたり、ビルの屋上等で過ごしたりすることはとても厳しい状況下にある。
特に温暖化現象が顕著になってきた昨今においては、日中のみならず夜間においても、この熱がアスファルトやビルの屋上から放熱されて、いわゆるヒートアイランド現象を引き起こす大きな要因になっている。
【０００３】
このヒートアイランド現象等を緩和しようと、道路の脇に植樹したり、ビルの屋上に芝生や木を植えたり、あるいは種々の草花を植える試みも成されている。しかしながらそれだけでは十分でなく、さらなる工夫が求められている。
この一環として、特許文献１や特許文献２にあるように保水性と透水性とを有する保水性舗装ブロック本体（以下単に保水性ブロックという）の下に容器状の保水タンクや保水トレーを設置した潅水構造体が提案されている。この潅水構造体の場合、保水性ブロックを浸透して下降してきた雨水や打ち水（以下単に雨水等という）を保水タンクや保水トレーに溜めておき、外気温が高温になった時には、この雨水等を給水手段、具体的には不織布等の導水性部材を介して毛細管力により揚水し、これを保水性ブロック表面から蒸発させて、その蒸発潜熱により保水性ブロックを冷やそう、というものである。
すなわち、降雨時に雨水等を保水タンクや保水トレーに貯え、気温が上昇した折にはこの水で保水性ブロックを冷やしてヒートアイランド現象を緩和させよう、というものである。
【０００４】
【特許文献１】特許第２８８５０８５号公報（特開平８‐８５９０７号）
【特許文献２】特開２００６−１２４９８０号公報
【発明の開示】
【発明が解決しようとする課題】
【０００５】
しかしながら特許文献１や特許文献２に開示されている舗装用の潅水構造体を実際に使用してみると、保水性ブロックに対する冷却能力が十分でないことがわかってきた。
すなわち、降雨等により保水タンクや保水トレーに十分水が貯えられていたとしても、外気が高温になった際、貯えられている水を保水性ブロック表面や保水性ブロック間に充填されている保水性ブロック用目地砂表面に必要量揚水し、給水する機能が不十分である、というものである。その結果、内部に十分な水を貯えているにも拘らず、保水性ブロックや保水性ブロック用目地砂の表面から蒸発する量を満たす水分量を補給することができない、と推測される。
実際、前記特許文献１や特許文献２では、この揚水能力については何も開示も示唆もしていない。その結果、降雨や打ち水等があって、保水タンクや保水トレー内に十分な貯水量が確保されていたとしても、例えば夏の高温時、導水性部材として開示されている不織布では、揚水力不足から保水性ブロック表面や保水性ブロック用目地砂表面に蒸発量に見合う水量を供給することができない場合があって、保水性ブロック等の冷却を安定して行うことができない、という問題がある。
【０００６】
前述の問題に鑑み本発明の目的は、外気温が高温の場合には、保水性ブロック表面や保水性ブロック用目地砂表面に蒸発量を充足する十分な量の水を供給でき、その結果、保水性ブロック等を安定して冷却できる機能を備えた保水部材や潅水構造体、さらにはこの種の潅水構造体を構成する保水性ブロックへの給水方法を提供することにある。
【課題を解決するための手段】
【０００７】
前記目的を達成すべく本発明の請求項１記載の保水部材は、上部に外部上方から下降してくる水を受けるための開口部を有し内部に貯水空間を有する貯水トレーと、該貯水トレーの前記開口部と側面の全部またはその一部とを覆いかつ天井面が透水性を有する貯水トレー保護体と、一端が前記貯水トレーの貯水空間に他端が前記貯水トレー保護体及び／または前記貯水トレーの外部に露出されていて前記貯水空間内に貯水されている水を前記貯水トレー保護体及び／または前記貯水トレーの側方外部に導水する導水性部材とを有することを特徴とするものである。
【０００８】
このようにしてなる本発明の請求項１記載の保水部材によれば、従来のように保水部材内の貯水空間内に貯えられている水を、不織布等の導水性部材で上方外部に導水するのではなく、保水部材の側面部等から側方外部に導水するようにしたため、導水性部材には高い揚水性が要求されないで済む。それ故、保水部材内部の貯水空間に貯えられている水を、より容易に、かつ確実に外部に導水でき、後述する保水性ブロックや保水性ブロック用目地砂表面側への水の供給を安定して、かつ確実に行うことができる。
【０００９】
また本発明の請求項２記載の保水部材は、上部に外部上方から下降してくる水を受けるための開口部を有し内部に貯水空間を有する貯水トレーと、該貯水トレーの前記開口部と側面の全部またはその一部とを覆いかつ天井面が透水性を有する貯水トレー保護体と、前記貯水トレー保護体及び／または前記貯水トレーの側面部を貫通し一端が前記貯水トレーの貯水空間に他端が前記貯水トレー保護体及び／または前記貯水トレーの側方外部に露出されていて前記貯水空間内に貯水されている水を前記貯水トレー保護体及び／または前記貯水トレーの外部に導水する導水性部材とを有し、該導水性部材が前記貯水トレー保護体及び／または前記貯水トレーの側面部を貫通する位置は前記導水性部材が前記貯水トレーから水を揚水可能な高さの範囲内に設けられていることを特徴とするものである。
【００１０】
このようにしてなる本発明の請求項２記載の保水部材によれば、導水性部材が貯水トレー保護体及び／または前記貯水トレーの側面を貫通して外部に導き出される位置（貯水トレーの底面からの高さ）を、使用する導水性部材の揚水能力の範囲内に確実に設定することができる。
そのため、導水性部材の種類を問わず貯水空間内に貯えられている水を容易かつ確実に保水部材外部へと導出できる。その結果、後述するように貯水空間内の水を保水部材間に充填されている保水部材用目地砂に容易に、かつ確実に受け渡すことができる。
【００１１】
さらに本発明の請求項３記載の保水部材は、請求項１または請求項２いずれかに記載の保水部材において、前記貯水トレー保護体の天井面から貯水空間に向かって下垂し、上方から供給される水を前記貯水トレー内の貯水空間へと集水して滴下する集水部材をさらに有することを特徴とするものであり、請求項４記載の保水部材は、請求項１〜請求項２いずれかに記載の保水部材において、前記保水部材は、一端が前記貯水トレーの貯水空間に向かって下垂し、他端が前記貯水トレー保護体及び／または前記貯水トレーの側面外部に露出されていて、上方から供給される水を前記貯水トレー内の貯水空間へと集水して滴下する集水部材をさらに有することを特徴とするものである。
【００１２】
このようにしてなる請求項３、請求項４記載の保水部材によれば、貯水トレー保護体の天井面から、あるいは前記貯水トレー保護体及び／または前記貯水トレーの側面外部から、貯水空間に向けて下垂する集水部材が設けられているため、後述する前記保水性ブロックや保水性ブロック用目地砂を浸透して下降してきた水を、効率よく短時間で貯水トレー内の貯水空間に落下させ貯えることができる。
ところで貯水トレー保護体の天井面に通気用または通水用の貫通孔が形成されている場合には、この貫通孔に集水部材を装着することもできる。このようにすれば、集水部材の装着も容易で、かつ集水もより効率的に行うことができる。
また一端が貯水空間に向けて下垂するように、そして他端が貯水トレー保護体及び／または前記貯水トレーの側面外部に露出するように集水部材を設ける場合には、この集水部材を前述した導水性部材とその作用を兼ねることもできる。すなわち、降雨時には集水部材として作用し、晴れて外気が高温になった場合には導水性部材として貯水空間から外部に水を導水する作用を果たすこともできる。
【００１３】
本発明の請求項５記載の保水部材は、請求項１〜請求項４いずれかに記載の保水部材において、前記保水部材の外底面及び／または側壁外面下部には撥水処理が施されていることを特徴としている。
このようにしてなる請求項５記載の保水部材によれば、保水部材の外底面及び／または側壁外面下部に撥水処理が施されているので、後述する保水部材間に充填されている保水部材用目地砂に保水されている水が、保水部材の表面を伝わってさらに下方の地中へと逃げていくのを効果的に防止できる。すなわち、一度、保水部材用目地砂に保水された水が保水部材の側壁外面や外底面を伝わって地中へと逃げて行くのを邪魔することができる。そのため雨水等をより保水部材用目地砂に保水し易くなり、外気温が高く保水性ブロックを冷却しなければならないとき、この水をより効率的に利用することができる。
【００１４】
また本発明の請求項６記載の保水部材は、請求項１〜請求項５いずれかに記載の保水部材において、前記貯水トレー保護体の側壁は、側壁下端が前記貯水トレーの外底面より下方に配置することが可能な高さを有していることを特徴としている。
このようにしてなる請求項６記載の保水部材のように、貯水トレー保護体の側壁下端を貯水トレーの外底面より下方に配置することが可能な高さにしておけば、この保水部材を布設した際、保水部材の上方から負荷される荷重、例えば、歩行者の体重等は貯水トレーではなく、貯水トレー保護体の側壁で受けとめることができる。
このようにすれば貯水トレーの耐荷重を小さくできるため、貯水トレーの設計の自由度を大きくすることができる。その一例として、貯水トレー保護体で外部からの荷重を引き受けるため、内側の貯水トレーの機械的強度を小さくすることが可能になる。具体的には貯水トレーの厚さを１ｍｍ以下の、例えばプラスチック等で形成することができる。
このように貯水トレーの材質や厚さ等の選択肢を広げ、例えば、より安価な貯水トレーを得ることも容易になる。
尚、荷重がより大きなものになることが予想される場合には、貯水トレー保護体の側壁に加えて、貯水トレー保護体の中心部付近に、例えば、１本または複数本の柱を立設し、かつこの柱の高さを貯水トレーの外底面より下方に配置することが可能な高さにしておく。このとき貯水トレーはこの柱を避けるような形状に形成することは言うまでもない。
【００１５】
さらに本発明の請求項７記載の保水部材は、請求項１〜請求項６いずれかに記載の保水部材において、前記導水性部材は布または多孔質体のいずれかであることを特徴とするものである。
このようにしてなる請求項７記載の保水部材によれば、身近で安価な材料である織布や不織布といった布等で導水性部材を構成できるので、保水部材全体を低価格で形成することができる。
【００１６】
また請求項８記載の潅水構造体は、路盤上方に平面状に隣接して敷き詰められる複数個の請求項１〜請求項７いずれかに記載の保水部材と、該複数個の保水部材の間隙に充填される保水性、透水性及び揚水性を備えた保水部材用目地砂と、前記保水部材の上方に平面状に隣接して敷き詰められる保水性と透水性とを備えた複数個の保水性ブロックと、該複数個の保水性ブロックの間隙に充填される保水性と透水性を備えかつ前記保水部材用目地砂と協働して前記保水部材の導水性部材により保水部材外部に導水された水を毛細管力で上方に揚水する揚水性をも備えた保水性ブロック用目地砂とを有することを特徴とするものである。
【００１７】
このようにしてなる請求項８記載の潅水構造体によれば、下方に位置する保水部材の貯水空間に蓄えられ、導水性部材により保水部材外部に導水された水を、保水部材間や保水性ブロック間にそれぞれ充填されている保水部材用目地砂と保水性ブロック用目地砂とが協働して上方に揚水するため、すなわち、両者が上下方向に接した状態で揚水を行うため、保水部材の貯水空間に貯えられていた水を効率的に保水性ブロックや保水性ブロック用目地砂表面に給水することができる。
また下方から揚水されてきた水を、保水性ブロックや保水性ブロック用目地砂表面に向かってそのまま垂直方向に揚水するだけでなく、保水性ブロック用目地砂から重力の影響の少ない水平方向、すなわち保水性ブロックの側面から保水性ブロック内に水平方向からも供給することができる。それ故、仮に保水性ブロックの揚水力が小さい場合であっても、外気が高温の際、保水性ブロックの側面方向からもより十分に、かつ確実に給水することができる。
その結果、この保水部材の貯水空間に十分な水が貯えられている限り、保水性ブロックや保水性ブロック用目地砂表面には、これらの表面から蒸発する水分量を十分満たせる水量を供給することができる。よって長期間確実に保水性ブロック表面等を冷却し続けることができる。
【００１８】
またこのような潅水構造体によれば、地表に位置する保水性ブロックに貯水トレーの貯水空間に貯えられている水を供給する経路として、導水性部材と保水部材用目地砂及び保水性ブロック用目地砂を組み合わせているので、これら３つの材料の材質、例えば保水性ブロック用目地砂の粒子分布といった材質やその量をうまく組み合わせることで、導水性部材の揚水力の不足等の欠点を補うことができる。すなわち、潅水構造体を設計する上での設計の自由度を広げることができる。
より具体的には、仮に保水部材に装着されている導水性部材の毛細管力の弱さに起因して揚水可能高さが不十分であったり、揚水量が不足気味であったり、あるいは保水性ブロックの保水力や吸水力にばらつきがあったとしても、保水性ブロック用目地砂や保水部材用目地砂の材料をうまく選択し、組み合わせれば、これらの欠点を容易に克服することができる。
【００１９】
加えて本発明の請求項９記載の潅水構造体は、請求項８に記載の潅水構造体において、前記保水部材の貯水空間が外気と連通しており、貯水空間の内部圧力が大気圧とほぼ等しく保持されるようになっていることを特徴としている。
このようにしてなる本発明の請求項９記載の潅水構造体によれば、保水部材の貯水空間と外気が、すなわち大気とが、例えば、貯水トレー保護体の天井面等に設けられた通水用、通気用の貫通孔を介して連通している。
その結果、貯水空間内に雨水等が溜まっていく過程で、貯水空間内の空気の容積が変化しても、この貯水空間内の圧力は、常に大気圧とほぼ同じ値に保持され、貯水空間の内圧が保水性ブロック等を毛細管現象により浸透してくる雨水等の毛細管力を上回ることがなくなる。そのため保水部材の貯水空間内により多量の水を蓄えることが可能になる。
【００２０】
本発明の請求項１０記載の潅水構造体は、請求項８または請求項９いずれかに記載の潅水構造体において、前記保水部材用目地砂及び／または保水性ブロック用目地砂の粒子径分布が目開き６００μｍのメッシュを通過する分布であることを特徴とするものであり、また請求項１１記載の潅水構造体は、請求項１０記載の潅水構造体において、前記保水部材用目地砂及び／または保水性ブロック用目地砂が６号珪砂、７号珪砂、８号珪砂または９号珪砂のいずれかであることを特徴とするものである。
【００２１】
このようにしてなる本発明の請求項１０、請求項１１記載の潅水構造体によれば、前記保水部材用目地砂や保水性ブロック用目地砂として、その粒子径分布が目開き６００μｍのメッシュを通過する粒子径分布、具体的には６号珪砂あるいはそれよりも細かな粒度である７号珪砂、８号珪砂さらには９号珪砂のいずれかを用いる点を特徴にしている。
これらの細かな珪砂は毛細管力が大きく、それ故揚水性に優れているため、保水部材内の貯水空間から導水性部材を介して保水部材用目地砂や保水性ブロック用目地砂に導出された水を、これらが協働して効率よく保水性ブロックや保水性ブロック用目地砂の各表面に揚水し、給水することができる。
同時に、導水性部材の揚水力をこれらの保水部材用目地砂や保水性ブロック用目地砂で補うこともできるので、潅水構造体全体の設計の自由度が大幅に広くなって、潅水構造体の設計をより容易に行うこともできる。
【００２２】
さらに本発明の請求項１２記載の潅水構造体は、請求項８〜請求項１１いずれかに記載の潅水構造体において、前記保水性ブロックは表裏に連通する貫通孔を有することを特徴としているものである。
このようにしてなる請求項１２記載の潅水構造体によれば、前記保水性ブロックの表裏に連通する貫通孔が、貯水トレー保護体の通気性、透水性を有する天井面と協働して、貯水トレー内の貯水空間と外気、すなわち大気とを、この貫通孔がない場合に比してより確実に連通させる役割を果たす。
その結果、貯水空間内に雨水等が溜まっていく過程で貯水空間内の空気の容積が変化しても、貯水空間の内圧は常に大気圧とほぼ同じ値に保持され、保水性ブロック内を毛細管力により浸透してくる雨水等の毛細管力を上回ることがなくなり、保水部材の貯水空間により多量の雨水等を確保できるようになる。
【００２３】
また本発明の請求項１３記載の潅水構造体は、請求項８〜請求項１２いずれかに記載の潅水構造体において、前記保水性ブロックと前記保水部材との間には、通気性と防砂性とを有するクッション層が設けられていることを特徴とするものである。
このように保水性ブロックと保水部材との間に、通気性と防砂性とを有する、例えば、不織布等からなるクッション層を介在させると、保水性ブロックを平面状に敷き詰める際、このクッション層が不陸作業の助けとなる。
加えてこのクッション層があれば、上方から目地砂等が保水部材の貯水空間に落ち込み、経時的に貯水空間を狭め貯水量を減ずるのを防止することもできる。すなわちこのクッション層に防砂効果も期待することができる。
【００２４】
しかもこのクッション層は通気性もあるため、保水部材の貯水空間を外気と連通させ、貯水空間の内部圧力をほぼ大気圧に維持するのを妨げることもない。
さらにはこのクッション層の両面に接着性を持たせれば、保水性ブロック用目地砂や保水部材用目地砂を除く潅水構造体構成体を一体として取扱うことが可能になり、潅水構造体の布設作業性を著しく向上させることができる。具体的には、例えば、このクッション層を用いて、その一方の面に保水部材を、そして他方の面に保水性ブロックを接着させて一体化することができる。その結果、布設に際して、保水部材と保水性ブロックを一体的に取扱うことが可能になる。
【００２５】
さらに本発明の請求項１４記載の潅水構造体は、請求項８〜請求項１３いずれかに記載の潅水構造体において、前記隣接して平面状に敷き詰められる複数個の保水部材の一部は、その内部の貯水空間が外気と連通しており、かつ隣接する保水部材同士の各貯水空間は保水部材間圧力調整手段を介して連結され、その内部圧力が大気圧とほぼ等しく保持されるようになっていることを特徴とするものである。
このようにしてなる請求項１４記載の潅水構造体によれば、隣接する保水部材内部の貯水空間が保水部材間圧力調整手段、具体的には連結管等で互いに連結されているため、これら保水部材の少なくとも１個の貯水空間を外気と連通させておけば、これを通して残りの保水部材内の貯水空間もその内部圧力をほぼ大気圧に近い値に維持することができる。
よってこのような簡単な構造で、潅水構造体全体の保水部材内の貯水空間を大気圧にほぼ等しい圧力に維持でき、貯水空間に十分な水を貯えることができる。
【００２６】
また本発明の請求項１５記載の潅水構造体の保水性ブロックへの給水方法は、路盤上方に平面状に隣接して敷き詰められる複数個の請求項１〜請求項７いずれかに記載の保水部材と、該複数個の保水部材の間隙に充填される保水性、透水性及び揚水性を備えた保水部材用目地砂と、前記保水部材の上方に平面状に隣接して敷き詰められる保水性と透水性とを備えた複数個の保水性ブロックと、該複数個の保水性ブロックの間隙に充填される保水性と透水性を備えかつ前記保水部材用目地砂と協働して前記保水部材から前記導水性部材により外部に導水された水を毛細管力で上方に揚水する揚水性をも備えた保水性ブロック用目地砂とを有する潅水構造体の保水性ブロックへの給水方法において、前記保水部材用目地砂と前記保水性ブロック用目地砂とが協働して下方から揚水した水を前記保水性ブロックの側面に供給することを特徴とするものである。
【００２７】
このようにしてなる請求項１５記載の潅水構造体の保水性ブロックへの給水方法によれば、保水部材内の貯水空間に貯えられている水は、導水性部材の毛細管力により揚水されて保水部材外部の保水部材用目地砂に手渡され、これを保水部材用目地砂により揚水されて、かつ保水性ブロック用目地砂と協働してさらに上方へと揚水される。続いて、保水性ブロックの側面から水平方向に向かって保水性ブロック内に供給されたり、そのまま保水性ブロック用目地砂表面まで揚水される。
このように水が保水性ブロック内に供給される場合には、保水性ブロックの側面を経路とした給水が行われるため、揚水における重力の影響が少なくなる。それ故、仮に保水性ブロックの揚水力が小さい場合であっても、あるいはその揚水力にばらつきがあっても、外気が高温の際、保水性ブロックへより十分に、かつ確実に必要な量を給水できる。
その結果、下方に位置する保水部材に十分な水が貯えられている限り、保水性ブロックや保水性ブロック用目地砂表面にはこれら保水性ブロックや保水性ブロック用目地砂表面から蒸発する水分量を十分賄うことができる水量を供給することができる。よって長期間確実に保水性ブロック表面等を冷却し続けることができる。
【発明の効果】
【００２８】
以上のように本発明によれば、外気温が高温の場合には、保水性ブロック表面や保水性ブロック用目地砂表面に蒸発量を充足する十分な量の水を供給でき、その結果、保水性ブロック等を安定して冷却できる機能を備えた保水部材や潅水構造体、さらにはこの潅水構造体を構成する保水性ブロックへの給水方法を提供することができる。
【発明を実施するための最良の形態】
【００２９】
以下に図を用いて本発明の保水部材及び潅水構造体の実施形態例を詳細に説明する。図１は本発明の保水部材の一実施形態例を示す概略縦断面図、図２は図１の円部Ａの拡大図、図３は平面図、そして図４は図１とは直交する方向からみた一部断面側面図である。
これら図１〜図４に示すように、この保水部材１は、内部に雨水等の水２を貯えるための貯水空間３を有し、上部に上方外部から下降してくる水を受けるための開口部を有する地下埋設型の貯水トレー４と、この貯水トレー４の前記開口部及び四方向の側面を重箱の蓋状に覆う貯水トレー保護体５と、さらに貯水トレー保護体５の対向する２つの側面に対称的に設けられた貫通孔６を介して、一端が貯水トレー４の貯水空間３のほぼ底面に届くように位置決めされ、他端が保水部材１の外部、この例では貯水トレー保護体５の外部に位置決めされるように貫通孔６の両側にその両端がたれ下がるように装着されている導水性部材７を有している。
尚、貯水トレー保護体５の上面は透水性（通気性を含む）を有し、上方から浸透して下降してくる水を貯水トレー４の貯水空間３に取り込むようになっている。
【００３０】
尚、この実施形態例では、貯水トレー保護体５が貯水トレー４の側面全面を覆っていることもあって、貫通孔６は貯水トレー保護体５の側面にのみ設けられているが、貯水トレー４と貯水トレー保護体５が重なっている部分に設けるなら両側面を貫通するように、あるいは貯水トレー保護体５が貯水トレー４の上部しか覆っていない場合には、貫通孔６を露出している貯水トレー４の側面にのみ形成する場合もある。
ところで貫通孔６を設けずに導水性部材７を装着することもできる。その場合、貯水トレー保護体５は貯水トレー４の上部のみ覆い、貯水トレー４の側面は大部分露出状態にある。そして貯水トレー保護体５と貯水トレー４の側壁上端部との間には導水性部材７を外部に引き出すのに必要なクリアランスが形成されていて、導水性部材７はこのクリアランスを通して貯水トレー４の側壁上端を跨ぐように外部に引き出される。
【００３１】
ところで貯水トレー４や貯水トレー保護体５としては、プラスチック製の成形体が好適であるが、金属製、セラミックス製あるいは金属とプラスチックの複合体、金属とセラミックスの複合体であってもよい。特に好ましいのはポリプロピレン製で、さらにはポリプロピレンのリサイクル品であると環境保護の面からも最適である。
また導水性部材７としては、布、具体的には織布や不織布が扱い易く好適である。尚、貯水トレー４の底面から貯水トレー保護体５の貫通孔６までの高さ、あるいは貫通孔６を設けないで貯水トレー４の側壁上端を跨がせる場合の貯水トレー４の側壁の高さは、導水性部材７の揚水可能高さの範囲内であって、導水性部材７により貯水空間３内の水を容易かつ確実に保水部材１の外部に導出できる高さとする。それ故、使用する導水性部材７の種類に応じ、その揚水能力を考慮して貫通孔６の高さを決めればよい。
尚、この導水性部材７の材料として、一般的には前述したように織布や不織布が使用されるが、これ以外にも、例えばガラス粉やセラミックス粉を平板状でかつＵ字型に成形した成形体（多孔質体）を用いてもよい。あるいはプラスチックや金属からなり内面―外面を貫通する貫通孔を複数有するＵ字型の平面状パイプ内にガラス粉やセラミックス粉を充填し、成形したものであってもよい。
【００３２】
また貯水トレー保護体５の天井面には透水性（通気性を含む広い意味を有する）を確実にするために、貫通孔８を１個または図３に示すように複数個、適宜間隔で設けておくとよい。この貫通孔８は、後述するように貯水トレー４の貯水空間３と外気とを連通し、貯水空間３の内部圧力をほぼ大気圧に等しい圧力に保持するためと、保水部材１の外部上方から浸透し、下降してくる雨水等の水をこの貫通孔８を介して貯水空間３に滴下させる役割も担っている。それ故、貯水トレー保護体５が透水性、通気性を有する、例えば多孔質体等からなる場合には、あえて貫通孔８を設ける必要はない。
尚、貫通孔８の内径を５ｍｍ以上にしておくと、水の表面張力により形成される水膜ができ難くなって貫通孔８が塞がれ難くなり、好ましい。
【００３３】
また図１で符号９は、貯水トレー保護体５の天井面に設けた集水部材で、この例では複数個の貫通孔８のうちの何個かに、その後端を装着し、他端（先端）を貯水空間３側に垂下させてある。このような集水部材９を設けておくと保水部材１の上面、すなわち、貯水トレー保護体５の上面に集まってきた水を効率よく貯水空間３へと滴下させることができる。
また別の方法として次のような方法もある。すなわち、貯水トレー保護体５の形状を、貯水トレー４の上部のみを覆い、貯水トレー４の側面を大部分露出状態とするようにし、かつ貯水トレー保護体５と貯水トレー４の側壁上端部との間に集水部材９を外部に引き出すのに必要なクリアランスを形成するようにする。そして、集水部材９はこのクリアランスを通して貯水トレー４の側壁上端を跨がせるようにし、かつ、一端が貯水トレー４の側面外部に引き出されるようにし、他端が貯水トレー４の貯水空間３に向かって下垂するようにして、集水部材９を装着することもできる。
また更に別の方法として、貯水トレー保護体５と貯水トレー４の各側壁上部を貫通して、あるいはまた貯水トレー保護体５の側壁の上部、もしくは貯水トレー保護体５が貯水トレー４の側面上部のみしか覆っていない場合には、貯水トレー４の側壁上部のみを貫通し、一端が貯水トレー４の貯水空間３に向かって下垂するように集水部材９を装着することもできる。このようにしても外部上方から供給される水を貯水トレー４内の貯水空間３へと効率よく集水し、滴下させることができる。
尚、この際、集水部材９として織布や不織布等の布を用い、この集水部材９が貯水トレー４や貯水トレー保護体５の側壁を貫通する位置を不織布等の揚水可能高さに設定すれば、この集水部材９に導水性部材７の役割も兼用させることができ好ましい。
因みに、貯水トレー保護体５の透水性が高い場合には、あえて集水部材９を装着する必要がない場合もある。
【００３４】
ところで図４において、貯水トレー保護体５の側壁外面下部や下部のフランジの部分に多数の×マークを付したマーク部分１０があるが、貯水トレー４の外底面も含めて貯水トレー保護体５のこのマーク部分１０に撥水処理を施しておくと、撥水処理を施した部分の濡れ性が低下し、水が貯水トレー保護体５等の表面を伝わり難くなるため、後述するように隣接して並べられた複数の保水部材１間の下部の隙間から雨水等が地中に逃げていくのを邪魔することができる。
その結果、保水部材１間の隙間に充填される、後述する保水部材用目地砂の保水力を補うことができ好ましい。
尚、この実施形態例では、貯水トレー保護体５が貯水トレー４の側面全面を覆っているため、撥水処理を貯水トレー保護体５の側壁外面下部やフランジ部分に施しているが、貯水トレー保護体５が貯水トレー４の側面上部のみ覆っていて、保水部材１の下部にあっては貯水トレー４の側壁外面が露出しているような場合には、保水部材１の側壁外面下部、すなわち貯水トレー４の側壁外面下部に撥水処理を施せばよい。
【００３５】
図５は、図１〜図４に示した本発明の保水部材１を保水部材として用いた潅水構造体の一実施形態例を示す一部切開断面図である。図が複雑にならないように保水部材１を構成している貯水トレー４や貯水トレー保護体５の１組のみ一部切開断面図にしてある。また用いている符号は図１〜図４に示したものと同じものには同じ符号を付してある。
【００３６】
図５に示すように本発明の潅水構造体は、路盤１１上に図１〜図４に示した本発明の保水部材１を平面状に隣接させながら複数個敷き詰め、隣接する保水部材１同士の間隙に保水部材用目地砂１２を充填し、さらにこの上に必要なら不陸作業を容易にするために通気性（透水性を含む）を有する、例えば不織布や防砂効果が損なわれない程度の微細な孔加工が施されている通気性ゴムシートからなるクッション層１３を載せる。
そしてこのクッション層１３上にさらに保水性ブロック１４を平面状にお互いを所定間隔で隣接させながら敷き詰め、かつ保水性ブロック１４同士の間隙に保水性ブロック用目地砂１５を充填する。
【００３７】
図５における潅水構造体にあっては、降った雨や打ち水は保水部材１の貯水トレー４内に貯えられており、外気が高温になった場合には、貯水トレー４内に貯えられている水は、導水性部材７の毛細管力により保水部材用目地砂１２に供給され、次に保水部材用目地砂１２により上方に揚水され、さらに保水性ブロック用目地砂１５と協働してさらに上へと揚水され、この保水性ブロック用目地砂１５に接している保水性ブロック１４の側面等に給水される。保水性ブロック１４の側面に給水された水は保水性ブロック１４内を垂直方向だけでなく水平方向にも拡散し、最終的には保水性ブロック１４の表面から蒸発し、その際、保水性ブロック１４から熱を奪って保水性ブロック１４を冷却する。もちろん、保水性ブロック用目地砂１５の地表面に露出している、いわゆる保水性ブロック用目地砂１５の表面からも蒸発していく。
このようにして保水性ブロック１４や保水性ブロック用目地砂１５が蒸発潜熱で冷やされる。
【００３８】
ここで重要なことは、保水性ブロック１４や露出している保水性ブロック用目地砂１５の表面から蒸発する水の量よりも下方から供給（揚水）される水の量が多くないと、継続して保水性ブロック１４や保水性ブロック用目地砂１５の表面部の一連の冷却は十分に行われなくなる、ということである。
そのため図５に示す潅水構造体にあっては、図６に示すように保水部材用目地砂１２、保水性ブロック用目地砂１５として揚水能力に特に優れた珪砂、具体的にはその粒子径分布が、目開き６００μｍのメッシュを通過する粒子分布を有する６号珪砂、７号珪砂、８号珪砂またはこれら以上の揚水能力を有する９号珪砂を用いることが好ましい。
すなわち、保水性ブロック１４の布設場所の気象条件や路盤１１の透水性等の条件等を考慮しながら保水部材用目地砂１２、保水性ブロック用目地砂１５の揚水性をも含む材質を決定する。
【００３９】
ところで理論的には、保水部材用目地砂１２や保水性ブロック用目地砂１５の水平断面積も揚水量に大きく影響を与えるが、ここで簡単のために、保水部材１と保水性ブロック１４が１対１になるように設置して、両者の鉛直方向の投影面積が完全に一致するものと仮定する。すなわち、保水部材用目地砂１２と保水性ブロック用目地砂１５の水平断面積が一致し、かつ重なる場合、本発明者の計算によれば、保水性ブロック用目地砂１５の水平断面積が１８ｃｍ２／ｍ２あれば、夏季の日中、すなわち、約１ｋＷ／ｍ２の日射量を受けている地表面で途切れなく水を蒸発させ続けるために必要な潅水量２５０ｇ／ｈ・ｍ２（６リットル／日）を十分に確保できる、という結果が得られている。ここで保水性ブロック１４を通常行われている標準工法で布設すると、保水性ブロック用目地砂１５の水平断面積は１３３ｃｍ２／ｍ２以上になるため、実際には保水性ブロック用目地砂１５の水平断面積はあまり考える必要がないことがわかっている。
それ故、図５における潅水構造体にあっては、揚水高さは保水性ブロック用目地砂１５で、揚水量は導水性部材７の水平断面積を調整することで各々調整すればよい。
【００４０】
ここで水平断面積１８ｃｍ２／ｍ２とは、１ｍ２当り必要な目地砂の断面積のことをいう。そしてその値は、図７に示すように、ある設計雨量（ここでは６３０ｍｍ）における給水高さ（ここでは２１０ｍｍ）と、導水性部材７の必要断面積の関係として実験により得た結果を用いた。設計雨量が変われば、給水高さ、必要断面積も異なるが、給水高さ、すなわち、貯水トレー保護体５の下端から地表面までの高さが２８０ｍｍまでの範囲であれば、６号珪砂の場合、必要断面積は１００ｃｍ２／ｍ２以下でよいことがわかる。
一方、導水性部材７として布を用いると、保水部材１の高さはせいぜい１５０ｍｍであるから、この布に求められる給水高さは１５０ｍｍ程度である。それ故、この場合の布の必要断面積は３０ｃｍ２／ｍ２となる。いま１ｍ２に２０枚の保水性ブロック１４を布設する場合を考えると、保水性ブロック１枚当り約１．５ｃｍ２となり、これは０．１ｃｍ厚の布１５ｃｍに相当し、ほとんど問題ないことが推測される。
【００４１】
また潅水量２５０ｇ／ｈ・ｍ２（６リットル／日）も同様に、１ｍ２当りの必要な時間当たりの潅水量を意味し、この値は文献「国土技術政策総合研究所  プロジェクト研究報告  自然共生型流域圏・都市の再生、ISSN 1880-0114（Ｈ１７年１２月、国土交通省  国土技術政策総合研究所）」から引用した。
また標準工法で布設したときの保水性ブロック用目地砂１５の水平断面積１３３ｃｍ２／ｍ２は、３０ｃｍ角の保水性ブロック１４を目地幅を３ｍｍとして布設した場合の断面積であり、これよりも保水性ブロック１３の断面積が小さくなった場合には、保水性ブロック用目地砂１５の水平断面積はこれよりも大きくなる。
【００４２】
以上から図５に示す潅水構造体において、隣接する保水部材１同士の間隙、保水性ブロック１４同士の間隙にそれぞれ充填する保水部材用目地砂１２と保水性ブロック用目地砂１５は、ともに例えば６号〜９号珪砂であれば揚水力としては十分であることが図６から理解できる。
ところで保水部材用目地砂１２と保水性ブロック用目地砂１５は、少なくともその一部が接触するように、すなわち保水性ブロック１４の間隙に充填されている保水性ブロック用目地砂１５の鉛直方向の投影面積が保水部材１の間隙に充填されている保水部材用目地砂１２のそれと少なくともその一部が重なるように充填しなければならない。
このように両目地砂１２、１５が上下方向に接触するように充填され、保水部材用目地砂１２から揚水された水が確実にその上部に位置する保水性ブロック用目地砂１５に受け渡されるように、すなわち両目地砂が協働して揚水を行えるようにすることが重要である。それ故、保水部材１上にクッション層１３を敷き詰める場合、広いシートでクッション層１３を形成してしまうと、保水部材用目地砂１２と保水性ブロック用目地砂１５との接触を遮断してしまう。そこでクッション層１３を形成するシートの大きさとしては、貯水トレー保護体５の上面の大きさにほぼ等しいものが好ましい。
【００４３】
ここで保水部材１と保水性ブロック１４が一対一になるように設置すれば、両者の鉛直方向の投影面積はほぼ完全に一致する。あるいはまた一個の保水部材１の上にｎ個（ｎは整数）の保水性ブロック１４を置くようにしても、両者の鉛直方向の投影面積の一部が重なるようになる。その結果、保水性ブロック用目地砂１５と保水部材用目地砂１２は上下方向にほぼ連続し、互いに協働して揚水を行うことができる。このように保水性ブロック用目地砂１５と保水部材用目地砂１２が協働して揚水を行う、とは両者の鉛直方向の投影面積の少なくとも一部が重なっていることを意味している。
【００４４】
図５に示す潅水構造体にあっては、保水性ブロック１４上に降った雨あるいは打ち水は、保水性ブロック１４を浸透してクッション層１３に至り、このクッション層１３が通気性（通水性を含む）を有していることからこれを浸透して保水部材１上に至る。保水部材１上、すなわち貯水トレー保護体５の上表面に溜まった水は、この貯水トレー保護体５の蓋部分全体が透水性を有していればこれを透水し、あるいは貫通孔８で透水性を確保している場合には貫通孔８を介して、さらには貫通孔８とこの貫通孔８に装着されている集水部材９を介して貯水トレー４の内部の貯水空間３に集められ、貯えられる。
【００４５】
ところで貯水空間３は、透水性を有する貯水トレー保護体５の天井面あるいはこの天井面に設けた貫通孔８、通気性を有するクッション層１３、そして透水性を有する保水性ブロック１４を介して外気と連通しているため、その内部圧力は大気圧にほぼ等しくなっている。それ故、貯水トレー４の貯水空間３内に雨水等が溜まって、貯水空間３内の空気の容積が変化しても貯水空間３の内圧は常に大気圧とほぼ同じ値に保持される。
その結果、貯水空間３の内圧は、保水性ブロック１４を毛細管現象により浸透してくる雨水等の毛細管力を上回ることがなくなる。よって貯水空間３に雨水等が一定量貯えられ、その結果、貯水空間３内の内圧が高まって、それ以降は保水性ブロック１４側から雨水等が浸透して来ず、貯水空間３に十分な雨水等を貯えることができない、という問題を解決することができる。
【００４６】
このように本発明の潅水構造体によれば、降雨量におおよそ比例してより多くの貯水量を確保できる。また外気温が高温になった場合には、確保されている十分な貯水量で、長期間に亘って保水性ブロック１４に雨水等を安定して供給でき、その蒸発潜熱で保水性ブロック１４や保水性ブロック１４同士の間隙に充填されている保水性ブロック用目地砂１５の表面部を冷却し続けることができる。
【００４７】
尚、図５に示すように、保水性ブロック１４の表裏を貫通するように貫通孔２０を１個以上設けておくと、貫通孔２０、通気性を有するクッション層１３、そして貯水トレー保護体５の通気性を有する天井面あるいはその天井面に形成されている貫通孔８を介して、貯水空間３の内部圧力をより確実に大気圧に近づけることができるので好ましい。
因みに、貫通孔２０の内径は５ｍｍ以上にするのが好ましい。その理由は、５ｍｍ以上にすると、前述したように雨滴による水膜によって貫通孔２０が塞がれ難くなり、保水性ブロック１４の通気性が妨げられ難くなるからである。
【００４８】
ところで保水部材１の貯水トレー保護体５の側面に設けられている貫通孔６を貫通し、一端が貯水トレー４内に他端が保水部材１の外側に位置決めされる導水性部材７として、例えば、布を用いた場合、本発明者の実験によれば、図７に示すように、通常用いられる断面積３０ｃｍ２／ｍ２程度の布の揚水可能高さは約１５０ｍｍであった。それ故、貯水トレー保護体５の側壁に設けてある貫通孔６の位置が、貯水トレー４の内底面から１５０ｍｍ以上であると、布からなる導水性部材７では要求される揚水ができない。
それ故、導水性部材７として布を用いる場合には、貫通孔６の位置を貯水トレー４の内底面から１５０ｍｍ以下の位置に形成すると好適である。
【００４９】
また導水性部材７として布を使用した場合、本発明者等の実験によれば給水高さ（揚水高さ）１００ｍｍに対して、前述したように夏季２５０ｇ／ｈ・ｍ２（６リットル／日）の揚水量を確保するためには理論上、布の断面積が６ｃｍ２／ｍ２を越えるようにすればよく、あるいは給水高さ（揚水高さ）１５０ｍｍに対しては、同様に理論上、布の断面積が３０ｃｍ２／ｍ２を越えるようにすればよい。もし保水部材１の対向する側面だけでは足りなければ、残りの側面にも貫通孔６を設け、導水性部材７としての布を貫通孔６の両側に垂れ下がるように装着すればよい。もちろん、貫通孔６の幅を広くして、より幅広で厚い布を用いるようにして揚水量を増やすようにしてもよい。
【００５０】
さらにまた図５に示す保水部材１において、貯水トレー４を覆う貯水トレー保護体５にあって、貯水トレー保護体５の側壁下端の位置が貯水トレー４の外底面（外面の底面）より下方に位置するように作っておくとよい。このようにすれば布設に際して貯水トレー４を内部に抱き込むように敷き詰めれば、保水部材１の上方からの荷重を貯水トレー保護体５だけで受けることができるようになって、内部の貯水トレー４には荷重が負荷されないようにすることもできる。このようにすれば内側の貯水トレー４は単に水を貯えるだけの機能になるため、例えば、その厚さを１ｍｍ以下という薄いケースに仕上げることもできる。
このようにすることで貯水トレー４は貯水機能、貯水トレー保護体５には貯水トレー４を保護する機能、というように機能分けすることができる。その結果、保水部材１を設計する際の自由度が増し、例えば、貯水トレー４において、前述したように、その板厚を１ｍｍ以下にして、材料の目付量を減らし、コストを下げることもできる。また機械的強度をそれほど考える必要がないので、貯水トレー４の材質選定に際しては、多くの材料から選択できる利点もある。
【００５１】
尚、荷重がより大きなものになることが予想される場合には、貯水トレー保護体５の側壁に加えて、貯水トレー保護体５の中心部付近に、１本または複数本の柱を立設し、しかもこの柱の高さを貯水トレー４の外底面より下方に配置することが可能な高さにしておくこともできる。このようにすれば、上方から加わる荷重を貯水トレー保護体５の側壁とこの柱で支えることができ、保水部材１の耐荷重を高めることができる。このとき貯水トレー４は、この柱を避けるような形状にすることはいうまでもない。
【００５２】
図８は本発明の潅水構造体の別の実施形態例を示す縦断面図である。この実施形態例の特徴は、図５におけるクッション層１３をなくした点にある。
すなわちクッション層１３は、保水性ブロック１４を布設する際の不陸作業を容易にする上ではあった方が好ましいが、路盤１１の水平度が確保されていて、路盤１１上に敷き詰めた保水部材１の上部表面の水平度も確保できるような場合には、例えば、コストの面からの理由により、このクッション層１３を省くこともできる。
路盤１１の水平度が十分でなければ、図８に示すように路盤１１上に不織布やゴムシート、あるいは瓦礫や土砂等からなる不陸作業用の緩衝層２１を設けてもよい。
また、路盤１１の透水性が高く、緩衝層２１から水が路盤１１側、すなわち、地中に逃げていく量が多過ぎるようなら、緩衝層２１の下にゴムシートの如き遮水シートを敷き詰めてもよい。
【００５３】
図９は本発明のさらに別の実施形態例を示すもので、保水部材１を平面状に敷き詰めた状態を示す概略平面図である。この実施形態例の特徴は、平面状に隣接して敷き詰められた複数個の保水部材１のうちの少なくとも１個の保水部材１の貯水空間３が、この例では近接して設けられている側溝４０に連結されている連結パイプ４１で連結されて外気（大気）と繋がっており、かつ各保水部材１の貯水空間３が、互いに、例えば連結パイプの如き保水部材間圧力調整手段４３で連結されている点にある。その結果、全保水部材１の貯水空間３の内部圧力が、常時大気圧とほぼ等しい圧力に維持される。
【００５４】
このようにしておけば、各保水部材１の貯水空間３の内圧は、常時、保水性ブロック１４側から毛細管現象により浸透し、下降してくる雨水等の毛細管力を上回ることがなくなる。その結果、貯水空間３に雨水等が一定量貯えられると、貯水空間３内の内圧が高まって、それ以降は保水性ブロック１４側から雨水等が浸透して来ず、貯水空間３に十分な雨水等を貯えることができない、という問題を解決することができる。
またこのようにすれば図１や図５に示すようにすべての保水部材１や保水性ブロック１４に貯水空間３の内部圧力を大気圧に保持する目的で設ける貫通孔８や貫通孔２０を形成する必要がなくなり、保水性ブロック１４や貯水トレー保護体５の製造コストを下げることができる。
【００５５】
もちろん、近くに側溝４０のように外気と連通するものがない場合には、連結パイプ４１と同じ役割を果たすものとして、図１や図５に示すように、任意の少なくとも１個の保水部材１の貯水トレー保護体５に設けた貫通孔８や保水性ブロック１４の表裏を貫通するように形成されている貫通孔２０を介して、この少なくとも１個の保水部材１の貯水空間３と大気を連通し、この保水部材１の貯水空間３と他の保水部材１の貯水空間３とを図９に示すように保水部材間圧力調整手段４３で連結すればよい。
この場合にも、図１や図５に示すようにすべての保水部材１や保水性ブロック１４に貯水空間３の内部圧力を大気圧に保持する目的で設ける貫通孔８や貫通孔２０を形成する必要がなくなる。
【００５６】
ところで前述した各図では、１個の保水部材１に１個の保水性ブロック１４が載置されている図のみ示しているが、例えば、１個の保水部材１の上に４個等複数個の保水性ブロック１４を載せるものであってもよい。
また図５におけるクッション層１３において、このクッション層１３の両面に接着性を持たせれば、保水性ブロック用目地砂１５や保水部材用目地砂１２を除く潅水構造体の構成部品を一体として取扱うことが可能になり、潅水構造体の布設作業性を著しく向上させることができる。具体的には、例えばこのクッション層１３を用いて、その一方の面に保水部材１を、そして他方の面に保水性ブロック１４を接着させて一体化する。このように下から保水部材１−クッション層１３−保水性ブロック１４の順に接着し、一体化した部材を用いれば、布設に際して、路盤１１上にこの一体化された部材を敷き詰め、その間隙に保水部材用目地砂１２や保水性ブロック用目地砂１５を充填するだけで潅水構造体の布設作業を完了させることができる。このように潅水構造体の布設作業を大幅に簡易にできる効果が期待できる。
【００５７】
また前記実施形態例では、本発明の保水部材１を図５や図８に示す潅水構造体に使用した例を示しているが、本発明の保水部材１は、図５や図８以外の潅水構造体であって、保水性ブロック１４の下方に布設されるものであれば、他の形態の潅水構造体に使用することも可能である。例えば、保水部材１の導水性部材７の他端に保水部材用目地砂１２や保水性ブロック用目地砂１５以外の高揚水性部材を連結または接触等させて、保水性ブロック１４の側面などに水を導くタイプの潅水構造体等にも適用可能である。
【００５８】
以上に述べた本発明の効果を整理すると、第一の効果としては、貯水空間３内に貯えた水を上方の保水性ブロック１４や地表に露出している保水性ブロック用目地砂１５へ、これら表面からの蒸発量に見合う十分な水量を供給できる点にある。
本発明の潅水構造体のように、保水性ブロック１４や保水性ブロック用目地砂１５の各表面部に水を供給する経路として、導水性部材７、保水部材用目地砂１２そして保水性ブロック用目地砂１５（以下単に目地砂１２、１５という）を組み合わせて利用することで、導水性部材７の毛細管力の弱さに基づく給水高さの不十分さ、給水量の少なさ、保水性ブロック１４の保水力や吸水力のばらつき、といった課題を解決することができる。
すなわち導水性部材７として用いる、例えば、布の揚水力に不足があっても、目地砂１２、１５に関してはその粒子径分布をうまく選択することによって、非常に強い毛細管力を持たせ、より高い位置まで揚水させることができる。加えて、単位面積あたりの吸水速度も大きく、さらに保水性ブロック１４を一般的な工法で布設したときに保水性ブロック用目地砂１５が占有する水平断面積も計算上必要な面積よりも遥かに大きいため、太陽エネルギーにより地表から蒸発する水分量を補うのに十分な量の水を地表面まで供給することが可能である。
【００５９】
具体的には、導水性部材７として織布、不織布等の布あるいはセラミック粉末等を固めた多孔質体を用いた場合、これらの材料は６号珪砂よりも揚水力が小さいが十分に使用可能である。何故ならば、本発明における導水性部材７としては、貯水空間３から水を保水部材１の側面部を介して外部に導水し、保水部材１の周囲に充填されている保水部材用目地砂１２に渡しさえすればその役目を果たせるからである。すなわち導水性部材７には、それほど大きな揚水力は要求されていないからである。それ故、導水性部材７として前述した揚水力が６号珪砂ほど大きくない織布、不織布等の布またはセラミック粉末等を固めた多孔質体のいずれかであってもその役割を十分に果たすことができる。
【００６０】
本発明の第二の効果としては、前述した第一の効果にも通じるが、目地砂１２、１５を導水性部材７と組み合わせて使用することで、導水性部材７の導水機能を補ったり、導水性部材７の材質を選ぶ際の選択幅を拡大させることもできる。
具体的には、この目地砂１２、１５を導水性部材７と組み合わせることで、毛細管力が弱く、吸水速度の遅い布のような導水性部材７であっても、保水部材１の周囲に充填されている保水部材用目地砂１２と接触する位置まで水を導水させることさえできれば、あとは保水部材用目地砂１２が、受け取った水を保水性ブロック１４や保水性ブロック１４の周囲に充填されている保水性ブロック用目地砂１５へと供給する役割を担う。
それ故、導水性部材７の揚水性能は、例えば、貯水トレー４の内底面から貯水トレー保護体５に設けてある導水性部材７を外部に導く貫通孔６の高さまで揚水する性能さえあればよく、従来のように保水性ブロック１４の下面まで揚水する必要がなくなる。この差はたかだか数ｃｍであるが、実用上非常に大きな相違であり、本発明の大きな効果である。
【００６１】
第三の効果は、保水性ブロック１４の材質を選択する際の選択幅の拡大、すなわち設計の自由度を大きくできる点にある。
具体的には、保水性ブロック用目地砂１５は保水性ブロック１４の側面に接しているため、保水性ブロック１４は下面から上面まで水を吸い上げる必要はなく、保水性ブロック用目地砂１５と接している側面から水の供給を受け、この水を重力の影響のない水平方向に拡散させる力さえあればよい。
すなわち市販されている保水性ブロック１４には、元々の性能として、もしくは品質のばらつきとして揚水力（吸水力）の低い保水性ブロック１４があり、保水性ブロック１４の下面から水を供給する方式では、保水性ブロック１４の上面まで水を吸い上げることができないものも存在する。このような保水性ブロック１４では蒸発量に見合う水をその表面まで揚水できないため、自身の冷却効果が不足しがちである。
しかしながら本発明の潅水構造体によれば、仮に揚水力が低い保水性ブロック１４であっても、前述したように側面方向から保水性ブロック用目地砂１５により十分な水の供給を受けることができるため、太陽光による蒸発量を十分補う水を長期間に亘って安定して、自身に取り込むことができる。このように保水性ブロック１４の設計、品質のバラツキの影響を小さくできる。具体的には、吸水力が小さな保水性ブロック１４でも使用することが可能となり、保水性ブロック１４の選択の幅が広くなる。
【００６２】
また本発明の第四の効果としては、給水量の調整・制御が可能になる、という点にある。
保水性ブロック１４への水の供給を、導水性部材７から保水部材用目地砂１２、そして保水性ブロック用目地砂１５を経由する２段階方式とすることにより、導水性部材７の給水量の調整と、これによる潅水構造体全体の給水量の調整が可能となる。
すなわち、保水性ブロック１４への水の供給量の律速段階は導水性部材７による保水部材用目地砂１２への供給量にある。
それ故、この導水性部材７の材質を選択したり、導水性部材７を保水部材１の外部に導き出す貫通孔６の位置（高さ）の選択、あるいは導水性部材７の水平方向断面積を調整することにより、貯水トレー４内の貯水空間３から保水部材用目地砂１２側への単位時間当たりの水の供給量を調整することができる。よって本発明の潅水構造体が布設される環境条件に見合った設計が可能になり、無駄な水の供給、すなわち水の過剰供給もなくすることができる。
【００６３】
さらに本発明の第五の効果として、保水部材１における貯水トレー４と貯水トレー保護体５の機能を分けることで、これらの設計の自由度を高め、かつ製造の簡易化が図れる。
具体的には、貯水トレー４に貯水機能のみを持たせ、貯水トレー保護体５には耐荷重機能と防砂機能を持たせることが可能になる。このように互いの機能を分割すれば設計や製造がより容易になる。
【００６４】
加えて本発明の第六の効果として、貯水空間３と外気と連通した場合には、降雨等に際して、より容易にかつ確実に貯水空間３内に十分な水を貯えることができるようになる。
因みに、本発明者の実験によれば、従来のものにあって、貯水空間３と外気との連通状態が悪いものでは、貯水空間３内の水の高さが約１ｍｍになると最早水位がそれ以上上昇しないものもあったが、本発明の潅水構造体によれば各保水部材１の貯水空間３の内圧が常に大気圧に等しい圧力に保持される。そのため、貯水空間３内の空気の容積が変化しても貯水空間３の圧力は常に大気圧とほぼ同じ値に保持され、貯水空間３の内圧が保水性ブロック１４を毛細管現象により浸透しようとしている雨水等の毛細管力を上回ることがなくなる。その結果、貯水空間３内により多くの貯水量を確保できるようになる。
【００６５】
以上に説明したように本発明によれば、外気温が高温の場合には、保水性ブロック表面や保水性ブロック用目地砂表面に蒸発量を充足する十分な量の水を供給でき、その結果、保水性ブロック等を安定して冷却できる機能を備えた保水部材や潅水構造体、さらにはこの種の潅水構造体を構成する保水性ブロックへの給水方法を提供することができる。
【図面の簡単な説明】
【００６６】
【図１】本発明の保水部材の一実施形態例を示す概略縦断面図である。
【図２】図１の円部Ａの拡大図である。
【図３】図１に示す保水部材の平面図である。
【図４】本発明の保水部材を図１と直交する方向からみた一部断面側面図である。
【図５】本発明の潅水構造体の一実施形態例を示す一部切開断面図である。
【図６】珪砂の種類による給水高さとその必要断面積の関係を示すグラフである。
【図７】導水性部材の種類による給水高さとその必要断面積の関係を示すグラフである。
【図８】本発明の潅水構造体の別の実施形態例を示す縦断面図である。
【図９】本発明の潅水構造体のさらに別の実施形態例を示す平面図である。
【符号の説明】
【００６７】
１  保水部材
２  水
３  貯水空間
４  貯水トレー
５  貯水トレー保護体
６  貫通孔
７  導水性部材
８  貫通孔
９  集水部材
１１  路盤
１２  保水部材用目地砂
１３  クッション層
１４  保水性ブロック
１５  保水性ブロック用目地砂
２０  貫通孔
２１  緩衝層
４０  側溝
４１  連結パイプ
４３  保水部材間圧力調整手段
【図１】
2010001691.tif 000003
【図２】
2010001691.tif 000004
【図３】
2010001691.tif 000005
【図４】
2010001691.tif 000006
【図５】
2010001691.tif 000007
【図６】
2010001691.tif 000008
【図７】
2010001691.tif 000009
【図８】
2010001691.tif 000010
【図９】
2010001691.tif 000011